【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
情報記録媒体から所定の情報を読み出すために前記情報記録媒体を回転させる駆動手段と、
外部ホストから発せられるコマンドに基づいて前記情報を読み出すための読出手段と、
前記コマンドのコマンド間隔を測定する測定手段と、
少なくとも所定の時間、又は所定の回数のいずれか一方によって発生した複数のコマンド間隔に基づいて前記コマンド間隔の平均値を算出する算出手段と、
前記算出手段により算出されたコマンド間隔の平均値に基づいて前記駆動手段の回転速度を制御する回転制御手段と、
を具備することを特徴とする情報再生装置。
【請求項２】
前記コマンド間隔が所定の時間以上経過している場合は、前記コマンド間隔を再計測するための再計測手段を備えていることを特徴とする請求項１に記載の情報再生装置。
【請求項３】
前記算出されたコマンド間隔の平均値を予め設定された第１及び第２のしきい値のそれぞれと比較する比較手段、を備え、
前記回転制御手段は、前記比較手段により比較された結果、コマンド間隔の平均値が前記第１のしきい値以上の場合には、前記駆動手段の回転数を下げ、コマンド間隔の平均値が前記第２のしきい値以下の場合には、前記駆動手段の回転数を上げることを特徴とする請求項２に記載の情報再生装置。
【請求項４】
以前にコマンド間隔が測定されている場合であって、
前記コマンド間隔の平均値を予め設定されたしきい値と比較する比較手段と、
前記比較手段により比較された結果、コマンド間隔の平均値が前記しきい値以上の場合に、前記以前に測定されたコマンド間隔、又は前記以前に測定されたコマンド間隔に基づいて算出されたコマンド間隔の平均値のいずれか一方に基づいて分散値を演算するための演算手段と、
前記分散値が当該分散値と比較するための予め設定されたしきい値である分散しきい値以上であるか否かを判定するための判定手段と、を備え、
前記回転制御手段は、前記判定手段により判定された結果に基づいて前記駆動手段の回転速度を制御することを特徴とする請求項１に記載の情報再生装置。
【請求項５】
前記判定手段によって前記分散値が前記分散しきい値より小さい場合に、
情報記録媒体の回転速度を検出するための検出手段と、
前記検出手段により検出された結果、前記情報記録媒体の回転速度が高速回転中か否かを判別するための判別手段と、を備え、
前記回転制御手段は、前記判別手段により判別された結果、情報記録媒体の回転速度が高速回転中の場合には、前記情報記録媒体の回転数を下げることを特徴とする請求項４に記載の情報再生装置。
【請求項６】
以前にコマンド間隔が測定され、当該測定された前記コマンド間隔によって算出されたコマンド間隔の平均値に基づいて前記情報記録媒体の回転数が高回転から低回転に制御される回転数制御がなされている場合に、
前記コマンド間隔の平均値を予め設定されたしきい値である回転制御用しきい値と比較する比較手段と、
前記コマンド間隔の平均値が前記しきい値以下である場合に、直前の回転数制御がなされた後の前記回転制御用しきい値以上の前記コマンド間隔の平均値を検出する検出手段と、を備え、
前記回転制御手段は、前記検出手段により検出された結果に基づいて前記駆動手段の回転速度を制御することを特徴とする請求項１に記載の情報再生装置。
【請求項７】
前記検出手段により前記しきい値以上のコマンド間隔の平均値が検出された場合において、
前記情報記録媒体の回転速度を検出するための回転数検出手段と、
前記検出手段により検出された結果、前記情報記録媒体の回転速度が低速回転中か否かを判別するための判別手段と、を備え、
前記回転制御手段は、前記判別手段により判別された結果、情報記録媒体の回転速度が低速回転中の場合には、前記情報記録媒体の回転数を上げることを特徴とする請求項６に記載の情報再生装置。
【請求項８】
コンピュータによって、駆動手段を用いて所定の情報記録媒体を回転させ、当該情報記録媒体から情報を読み出して再生する回転制御プログラムにおいて、
前記コンピュータを、
前記駆動手段により回転する情報記録媒体から、ユーザからの指示に基づいて連続して発せられるコマンドに基づいて前記情報を読み出すための読出手段、
前記コマンドを検出するための検出手段、
前記コマンドのコマンド間隔を測定するための測定手段、
少なくとも所定の時間、又は所定の回数のいずれか一方によって発生した複数のコマンド間隔に基づいて前記コマンド間隔の平均値を算出する算出手段、
前記算出手段により算出されたコマンド間隔の平均値に基づいて前記駆動手段の回転速度を制御する回転制御手段、
として機能させることを特徴とする回転制御プログラム。
【請求項９】
所定の情報記録媒体から情報を読み出して再生する情報再生方法において、
前記情報記録媒体を所定の回転数で回転させる駆動工程と、
前記回転する情報記録媒体から、ユーザからの指示に基づいて連続して発せられるコマンドに基づいて前記情報を読み出すための読み出し工程と、
前記コマンドを検出するための検出工程と、
前記コマンドのコマンド間隔を測定するための測定工程と、
少なくとも所定の時間、又は所定の回数のいずれか一方によって発生した複数のコマンド間隔に基づいて前記コマンド間隔の平均値を算出する算出工程と、を含み、
前記駆動工程においては、算出されたコマンド間隔の平均値に基づいて回転速度を変化させることを特徴とする情報再生方法。
【手続補正２】
【補正対象書類名】明細書
【補正対象項目名】００１１
【補正方法】変更
【補正の内容】
【００１１】
請求項１の情報再生装置は、情報記録媒体から所定の情報を読み出すために前記情報記録媒体を回転させる駆動手段と、外部ホストから発せられるコマンドに基づいて前記情報を読み出すための読出手段と、前記コマンドのコマンド間隔を測定する測定手段と、少なくとも所定の時間、又は所定の回数のいずれか一方によって発生した複数のコマンド間隔に基づいて前記コマンド間隔の平均値を算出する算出手段と、前記算出手段により算出されたコマンド間隔の平均値に基づいて前記駆動手段の回転速度を制御する回転制御手段と、を具備することを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項８の回転制御プログラムは、コンピュータによって、駆動手段を用いて所定の情報記録媒体を回転させ、当該情報記録媒体から情報を読み出して再生する回転制御プログラムにおいて、前記コンピュータを、前記駆動手段により回転する情報記録媒体から、ユーザからの指示に基づいて連続して発せられるコマンドに基づいて前記情報を読み出すための読出手段、前記コマンドを検出するための検出手段、前記コマンドのコマンド間隔を測定するための測定手段、少なくとも所定の時間、又は所定の回数のいずれか一方によって発生した複数のコマンド間隔に基づいて前記コマンド間隔の平均値を算出する算出手段、前記算出手段により算出されたコマンド間隔の平均値に基づいて前記駆動手段の回転速度を制御する回転制御手段、として機能させることを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
請求項９の情報再生方法は、所定の情報記録媒体から情報を読み出して再生する情報再生方法において、前記情報記録媒体を所定の回転数で回転させる駆動工程と、前記回転する情報記録媒体から、ユーザからの指示に基づいて連続して発せられるコマンドに基づいて前記情報を読み出すための読み出し工程と、前記コマンドを検出するための検出工程と、前記コマンドのコマンド間隔を測定するための測定工程と、少なくとも所定の時間、又は所定の回数のいずれか一方によって発生した複数のコマンド間隔に基づいて前記コマンド間隔の平均値を算出する算出工程と、を含み、前記駆動工程においては、算出されたコマンド間隔の平均値に基づいて回転速度を変化させることを特徴とする。
【手続補正７】
【補正対象書類名】明細書
【補正対象項目名】００１６
【補正方法】削除
【補正の内容】